(57)【要約】【課題】安全弁からの排気が容易になり、バッテリ監視要素が熱くならないバッテリモジュールを提供する。【解決手段】バッテリ監視要素４は、セルユニット２の複数の側面のうち、安全弁が位置する第１側面２ａでない第２側面２ｂに位置する。これにより、バッテリ監視要素４は、安全弁に対向しない。【選択図】図２
2014220233.tif 000002
【特許請求の範囲】
【請求項１】
第１方向に配列された複数のバッテリセルを含むセルユニットと、
上記セルユニットに取り付けられるバッテリ監視要素と
を備え、
上記バッテリセルは、上記バッテリセル内の圧力を開放する内圧開放部を有し、
上記セルユニットは、上記第１方向を中心とした周方向に、各バッテリセルの内圧開放部が位置する面である少なくとも一つの内圧開放部面を含む複数の側面を有し、
上記バッテリ監視要素は、上記セルユニットの上記複数の側面のうちの上記内圧開放部面でない非内圧開放部面に位置することを特徴とするバッテリモジュール。
【請求項２】
請求項１に記載のバッテリモジュールにおいて、
上記バッテリ監視要素は、上記セルユニットの上記非内圧開放部面の少なくとも一部に当接していることを特徴とするバッテリモジュール。
【請求項３】
請求項１または２に記載のバッテリモジュールにおいて、
上記セルユニットは、隣接する上記バッテリセルの間にスペーサを有し、
上記スペーサは、孔部を有し、
上記バッテリ監視要素は、上記孔部に係止する突起部を有することを特徴とするバッテリモジュール。
【請求項４】
請求項１から３の何れか一つに記載のバッテリモジュールにおいて、
上記内圧開放部面には、各バッテリセルの端子が位置することを特徴とするバッテリモジュール。
【請求項５】
請求項１から４の何れか一つに記載のバッテリモジュールにおいて、
上記セルユニットは、上記複数のバッテリセルの上記第１方向の両側に配置された２つのエンドプレートを有し、
上記バッテリ監視要素は、上記２つのエンドプレートの間に位置することを特徴とするバッテリモジュール。
【請求項６】
請求項１から５の何れか一つに記載のバッテリモジュールにおいて、
開口部を有するケース本体と、
上記ケース本体の上記開口部を閉じるように上記ケース本体に取り付けられる蓋体と
を備え、
上記セルユニットおよび上記バッテリ監視要素は、上記セルユニットの上記第１方向の端部が上記ケース本体の上記開口部に対向するように、上記ケース本体内に収容されることを特徴とするバッテリモジュール。
【請求項７】
請求項６に記載のバッテリモジュールにおいて、
上記バッテリ監視要素は、上記ケース本体の底面から上記開口部までの高さ方向の中央より、上記開口部側に位置していることを特徴とするバッテリモジュール。
【請求項８】
請求項１から７の何れか一つに記載のバッテリモジュールにおいて、
上記バッテリセルは、角型の容器と、この容器内に収容されている発電要素とを有することを特徴とするバッテリモジュール。
【請求項９】
請求項１から７の何れか一つに記載のバッテリモジュールにおいて、
上記バッテリセルは、袋状のフィルム体と、このフィルム体内に収容されている発電要素とを有することを特徴とするバッテリモジュール。
【請求項１０】
請求項１から７の何れか一つに記載のバッテリモジュールにおいて、
上記バッテリセルは、円筒型の容器と、この容器内に収容されている発電要素とを有することを特徴とするバッテリモジュール。
【発明の詳細な説明】
【技術分野】
【０００１】
この発明は、バッテリモジュールに関する。
【背景技術】
【０００２】
従来、バッテリモジュールとしては、特許第５１３３３３０号公報（特許文献１）に記載されたものがある。このバッテリモジュールは、第１方向に配列された複数のバッテリセルを含むセルユニットと、バッテリセルの蓄電量を制御するバッテリ監視要素とを備えている。バッテリ監視要素は、セルユニットを拘束する拘束バンドの上に、装着されている。
【先行技術文献】
【特許文献】
【０００３】
【特許文献１】特許第５１３３３３０号公報
【発明の概要】
【発明が解決しようとする課題】
【０００４】
ところで、上記従来のバッテリモジュールでは、セルユニットは、周囲に、各バッテリセルの安全弁が位置する側面（以下、安全弁面という）を有する。そして、バッテリ監視要素が、この安全弁面に位置すると、バッテリ監視要素は、安全弁に対向することになる。
【０００５】
したがって、安全弁は、バッテリ監視要素によって覆われることになって、安全弁からの排気が困難になる。また、バッテリ監視要素は、安全弁からの排気の熱を受けることになって、バッテリ監視要素は、熱くなる。
【０００６】
そこで、この発明の課題は、安全弁からの排気が容易になり、バッテリ監視要素が熱くならないバッテリモジュールを提供することにある。
【課題を解決するための手段】
【０００７】
上記課題を解決するため、この発明のバッテリモジュールは、
第１方向に配列された複数のバッテリセルを含むセルユニットと、
上記セルユニットに取り付けられるバッテリ監視要素と
を備え、
上記セルユニットは、上記第１方向を中心とした周方向に、各バッテリセルの安全弁が位置する面である第１側面を含む複数の側面を有し、
上記バッテリ監視要素は、上記セルユニットの上記複数の側面のうちの上記第１側面でない第２側面に位置することを特徴としている。
【０００８】
ここで、上記バッテリ監視要素とは、例えば、コネクタや制御基板や遮断器を含み、バッテリセルの状態を監視する。
【０００９】
この発明のバッテリモジュールによれば、上記バッテリ監視要素は、セルユニットの複数の側面のうち、安全弁が位置する第１側面でない第２側面に位置する。これにより、バッテリ監視要素は、安全弁に対向しない。したがって、安全弁は、バッテリ監視要素によって覆われないので、安全弁からの排気が容易になる。また、バッテリ監視要素は、安全弁からの排気の熱を受けないので、バッテリ監視要素は、熱くならない。
【００１０】
また、一実施形態のバッテリモジュールでは、上記バッテリ監視要素は、上記セルユニットの上記第２側面の少なくとも一部に当接している。
【００１１】
この実施形態のバッテリモジュールによれば、上記バッテリ監視要素は、セルユニットの第２側面の少なくとも一部に当接している。これにより、バッテリ監視要素とセルユニットの第２側面との間の隙間をなくすことができ、省スペース化を図ることができる。
【００１２】
また、一実施形態のバッテリモジュールでは、
上記セルユニットは、隣接する上記バッテリセルの間にスペーサを有し、
上記スペーサは、孔部を有し、
上記バッテリ監視要素は、上記孔部に係止する突起部を有する。
【００１３】
この実施形態のバッテリモジュールによれば、上記バッテリ監視要素の突起部は、上記スペーサの孔部に係止するので、複数のバッテリセルが膨れて第１方向に広がろうとするのを抑制することができる。
【００１４】
また、一実施形態のバッテリモジュールでは、上記第１側面には、各バッテリセルの端子が位置する。
【００１５】
この実施形態のバッテリモジュールによれば、上記第１側面には、各バッテリセルの端子が位置する。これにより、バッテリ監視要素は、端子に対向しない。したがって、端子にバスバーを容易に接続でき、端子の点検が容易となる。
【００１６】
また、一実施形態のバッテリモジュールでは、
上記セルユニットは、上記複数のバッテリセルの上記第１方向の両側に配置された２つのエンドプレートを有し、
上記バッテリ監視要素は、上記２つのエンドプレートの間に位置する。
【００１７】
この実施形態のバッテリモジュールによれば、上記バッテリ監視要素は、上記２つのエンドプレートの間に位置するので、外部からの衝撃等からバッテリ監視要素をガードすることができる。
【００１８】
また、一実施形態のバッテリモジュールでは、
開口部を有するケース本体と、
上記ケース本体の上記開口部を閉じるように上記ケース本体に取り付けられる蓋体と
を備え、
上記セルユニットおよび上記バッテリ監視要素は、上記セルユニットの上記第１方向の端部が上記ケース本体の上記開口部に対向するように、上記ケース本体内に収容される。
【００１９】
この実施形態のバッテリモジュールによれば、上記セルユニットおよび上記バッテリ監視要素は、セルユニットの第１方向の端部がケース本体の開口部に対向するように、ケース本体内に収容される。これにより、安全弁が位置する面にはバッテリ監視要素を配置しないので、バッテリ監視要素をセルユニットに当接させることが可能となり、省スペース化を図ることができる。これに対して、安全弁上にバッテリ監視要素が配置されると、安全弁からの排気をスムーズに行うために、安全弁とバッテリ監視要素との間に隙間を設ける必要があり、そのために、モジュール自体が大型化してしまう。
【００２０】
また、一実施形態のバッテリモジュールでは、上記バッテリ監視要素は、上記ケース本体の底面から上記開口部までの高さ方向の中央より、上記開口部側に位置している。
【００２１】
この実施形態のバッテリモジュールによれば、上記バッテリ監視要素は、上記ケース本体の底面から上記開口部までの高さ方向の中央より、上記開口部側に位置している。これにより、ケース本体を、底面が下側にかつ開口部が上側になるように、配置した場合、安全弁が開弁し、バッテリセル内の電解液がケース本体内に漏れ出ても、バッテリ監視要素は、ケース本体の上部にあるので、バッテリ監視要素は、電解液に浸からない。また、バッテリ監視要素は、ケース本体の開口部側にあることで、蓋体に配置されている通信コネクタとの距離を短くすることができる。
【００２２】
また、一実施形態のバッテリモジュールでは、上記バッテリセルは、角型の容器と、この容器内に収容されている発電要素とを有する。
【００２３】
また、一実施形態のバッテリモジュールでは、上記バッテリセルは、袋状のフィルム体と、このフィルム体内に収容されている発電要素とを有する。
【００２４】
また、一実施形態のバッテリモジュールでは、上記バッテリセルは、円筒型の容器と、この容器内に収容されている発電要素とを有する。
【発明の効果】
【００２５】
この発明のバッテリモジュールによれば、上記バッテリ監視要素は、セルユニットの複数の側面のうち、安全弁が位置する第１側面でない第２側面に位置するので、安全弁からの排気が容易になり、バッテリ監視要素は熱くならない。
【図面の簡単な説明】
【００２６】
【図１】本発明の第１実施形態のバッテリモジュールを示す斜視図である。
【図２】セルユニットおよびバッテリ監視要素の分解斜視図である。
【図３】セルユニットの分解斜視図である。
【図４】バッテリ監視要素の斜視図である。
【図５】セルユニットとバッテリ監視要素の接触状態を示す断面図である。
【図６】本発明の第２実施形態のバッテリモジュールを示す斜視図である。
【図７】本発明の第３実施形態のバッテリモジュールを示す斜視図である。
【発明を実施するための形態】
【００２７】
以下、この発明を図示の実施の形態により詳細に説明する。
【００２８】
（第１の実施形態）
図１は、この発明の第１実施形態のバッテリモジュールを示す斜視図である。図１に示すように、このバッテリモジュールは、ケース１と、このケース１内に収容されるセルユニット２と、このケース１内に収容されるバッテリ監視要素４とを備える。
【００２９】
上記ケース１は、開口部を有するケース本体１０と、この開口部を閉じるようにケース本体１０に取り付けられる蓋体１１とを有する。セルユニット２およびバッテリ監視要素４は、セルユニット２の第１方向（Ｚ方向）の端部がケース本体１０の開口部に対向するように、ケース本体１０内に収容される。
【００３０】
上記ケース１の外部には、正極外部端子５と負極外部端子６とが配置されている。正極外部端子５と負極外部端子６は、蓋体１１を貫通して、セルユニット２に電気的に接続される。上記バッテリ監視要素４は、セルユニット２に取り付けられる。バッテリ監視要素４は、カバー４０により覆われている。
【００３１】
図２と図３に示すように、上記セルユニット２は、第１方向（Ｚ方向）に配列された８つのバッテリセル２０を有する。隣接するバッテリセル２０，２０の間には、スペーサ２６が配置されている。
【００３２】
上記バッテリセル２０は、例えば、非水電解質二次電池である。バッテリセル２０は、角型の容器２４と、この容器２４内に収容されている発電要素とを有する。発電要素は、正極板と、負極板と、正極板と負極板との間に介在されたセパレータとを有する。容器２４の蓋体には、正極端子２１と負極端子２２とが外部に露出するように設けられている。正極端子２１と正極板、および、負極端子２２と負極板は、それぞれ、容器２４内に配置された集電体により、電気的に接続される。
【００３３】
上記容器２４の蓋体には、正極端子２１と負極端子２２との間に、安全弁２３が設けられている。安全弁２３は、容器２４内で発生する気体の圧力が所定値以上になったときに、この気体を容器２４外へ放出する。安全弁２３は、内圧開放部の一例である。各バッテリセル２０の安全弁２３は、第１方向に延在する排気管８によって、覆われている。
【００３４】
第１から第８のバッテリセル２０は、第１方向の一方側（図中の上側）から他方側（図中の下側）へ順に、配列されている。第１と第２のバッテリセル２０は、それぞれの正極端子２１が図中右側に揃うように、配置され、第３と第４のバッテリセル２０は、それぞれの正極端子２１が図中左側に揃うように、配置され、第５と第６のバッテリセル２０は、それぞれの正極端子２１が図中右側に揃うように、配置され、第７と第８のバッテリセル２０は、それぞれの正極端子２１が図中左側に揃うように、配置されている。
【００３５】
第１と第２のバッテリセル２０と、第３と第４のバッテリセル２０と、第５と第６のバッテリセル２０と、第７と第８のバッテリセル２０とは、バスバー２５を介して、電気的に直列に接続されている。そして、直列に接続された複数のバッテリセル２０の正極側は、バスバーを介して、正極外部端子５に電気的に接続される一方、この複数のバッテリセル２０の負極側は、バスバーを介して、負極外部端子６に電気的に接続される。
【００３６】
上記セルユニット２は、第１エンドプレート３１と第２エンドプレート３２とを有する。第１エンドプレート３１は、複数のバッテリセル２０の第１方向の一方側に位置する。第２エンドプレート３２は、複数のバッテリセル２０の第１方向の他方側に位置する。複数のバッテリセル２０は、第１、第２エンドプレート３１，３２により、挟持されている。
【００３７】
上記セルユニット２は、第１方向を中心とした周方向に、４つの側面を有する。この４つの側面は、周方向に順に、第１側面２ａ、第２側面２ｂ、第３側面２ｃおよび第４側面２ｄである。第１側面２ａは、各バッテリセル２０の安全弁２３および端子２１，２２が位置する面である。第１側面２ａは、内圧開放部面の一例である。第２側面２ｂ、第３側面２ｃおよび第４側面２ｄは、内圧開放部面でない非内圧開放部面の一例である。
【００３８】
上記複数のバッテリセル２０と上記第１、上記第２エンドプレート３１，３２とは、４つの金属製の拘束バンド７により、一体に拘束されている。拘束バンド７は、第１方向に沿って延在し、第１エンドプレート３１と第２エンドプレート３２に連結されている。第２側面２ｂと第４側面２ｄには、それぞれ、１つの拘束バンド７が位置し、第３側面２ｃには、２つの拘束バンド７が位置する。
【００３９】
上記バッテリ監視要素４は、各バッテリセル２０の状態を監視する。バッテリ監視要素４は、樹脂からなる基台４１と、この基台４１の一面に配置された制御基板４２、遮断器４３およびコネクタ４４とを有する。制御基板４２は、バッテリセル２０の入出力電流等を制御する。遮断器４３は、バッテリセル２０から大電流が流れることを防止する。コネクタ４４は、例えば車両などの外部端子と電気的に接続される。
【００４０】
上記バッテリ監視要素４は、第１エンドプレート３１と第２エンドプレート３２の間に位置する。バッテリ監視要素４は、セルユニット２の第２側面２ｂに位置し、この第２側面２ｂの一部に当接する。具体的に述べると、セルユニット２の第２側面２ｂには、スペーサ２６の凸部２６ａおよび凹部２６ｂが設けられている。凸部２６ａおよび凹部２６ｂは、それぞれ、第１方向（Ｚ方向）に延在する。凸部２６ａと凹部２６ｂは、第１方向に直交する方向（Ｙ方向）に交互に配置される。
【００４１】
また、上記バッテリ監視要素４の基台４１の他面には、図４に示すように、凸部４１ａおよび凹部４１ｂが設けられている。凸部４１ａおよび凹部４１ｂは、それぞれ、第１方向（Ｚ方向）に延在する。凸部４１ａと凹部４１ｂは、第１方向に直交する方向（Ｙ方向）に交互に配置される。
【００４２】
そして、図５に示すように、上記セルユニット２の凸部２６ａと上記バッテリ監視要素４の凹部４１ｂとは、嵌合し、セルユニット２の凹部２６ｂとバッテリ監視要素４の凸部４１ａとは、嵌合する。セルユニット２の凸部２６ａの上面と、バッテリ監視要素４の凹部４１ｂの底面とが、接触する。
【００４３】
上記セルユニット２の凸部２６ａの上面には、孔部２６ｃ（図３参照）が設けられているが、上記バッテリ監視要素４の凹部４１ｂの底面に、突起部を設けて、この突起部が孔部２６ｃに係止するようにしてもよい。これにより、バッテリ監視要素４をセルユニット２に仮固定することができる。また、複数のバッテリセル２０が膨れて第１方向に広がろうとするのを抑制することができる。その後、バッテリ監視要素４の基台４１は、ネジ止めにより、セルユニット２に固定される。なお、孔部２６ｃは、貫通状または有底状であってもよい。
【００４４】
上記構成のバッテリモジュールによれば、上記バッテリ監視要素４は、セルユニット２の複数の側面のうち、安全弁２３が位置する第１側面２ａでない第２側面２ｂに位置する。これにより、バッテリ監視要素４は、安全弁２３に対向しない。したがって、安全弁２３は、バッテリ監視要素４によって覆われないので、安全弁２３からの排気が容易になる。また、バッテリ監視要素４は、安全弁２３からの排気の熱を受けないので、バッテリ監視要素４は、熱くならない。
【００４５】
また、上記バッテリ監視要素４は、セルユニット２の第２側面２ｂの一部に当接している。これにより、バッテリ監視要素４とセルユニット２の第２側面２ｂとの間の隙間をなくすことができ、省スペース化を図ることができる。
【００４６】
また、上記第１側面２ａには、各バッテリセル２０の端子２１，２２が位置する。これにより、バッテリ監視要素４は、端子２１，２２に対向しない。したがって、端子２１，２２にバスバー２５を容易に接続でき、端子２１，２２の点検が容易となる。
【００４７】
また、上記バッテリ監視要素４は、第１エンドプレート３１と第２エンドプレート３２の間に位置するので、外部からの衝撃等からバッテリ監視要素４をガードすることができる。
【００４８】
また、上記セルユニット２および上記バッテリ監視要素４は、セルユニット２の第１方向の端部がケース本体１０の開口部に対向するように、ケース本体１０内に収容される。これにより、安全弁２３が位置する面にはバッテリ監視要素４を配置しないので、バッテリ監視要素４をセルユニット２に当接させることが可能となり、省スペース化を図ることができる。これに対して、安全弁２３上にバッテリ監視要素４が配置されると、安全弁２３からの排気をスムーズに行うために、安全弁２３とバッテリ監視要素４との間に隙間を設ける必要があり、そのために、モジュール自体が大型化してしまう。
【００４９】
なお、上記バッテリ監視要素４を、上記ケース本体１０の底面から上記開口部までの高さ方向の中央より、上記開口部側に位置するようにしてもよい。これにより、ケース本体１０を、底面が下側にかつ開口部が上側になるように、配置した場合、安全弁２３が開弁し、バッテリセル２０内の電解液がケース本体１０内に漏れ出ても、バッテリ監視要素４は、ケース本体１０の上部にあるので、バッテリ監視要素４は、電解液に浸からない。また、バッテリ監視要素４は、ケース本体１０の開口部側にあることで、蓋体１１に配置されている通信コネクタとの距離を短くすることができる。
【００５０】
（第２の実施形態）
図６は、本発明の第２実施形態のバッテリモジュールを示す斜視図である。上記第２実施形態は、上記第１実施形態とは、セルユニットのバッテリセルの構成のみが相違する。この相違する構成のみを以下に説明する。
【００５１】
図６に示すように、セルユニット２Ａのバッテリセル２０Ａは、ラミネート型セルである。つまり、バッテリセル２０Ａは、袋状のフィルム体１２４と、このフィルム体１２４内に収容されている発電要素とを有する。フィルム体１２４は、２枚のラミネートフィルムをヒートシールにより接着して、形成される。発電要素は、正極板と、負極板と、正極板と負極板との間に介在されたセパレータとを有する。
【００５２】
上記セルユニット２Ａは、第１方向を中心とした周方向に順に、第１側面２ａ、第２側面２ｂ、第３側面２ｃおよび第４側面２ｄを有する。第１側面２ａには、各バッテリセル２０Ａの内圧開放部１２３、正極端子１２１および負極端子１２２が、位置する。内圧開放部１２３は、正極端子１２１の周囲と負極端子１２２の周囲とに、設けられる。内圧開放部１２３は、２枚のラミネートフィルムのヒートシールによる接着力の弱い部分である。内圧開放部１２３は、フィルム体１２４内で発生する気体の圧力が所定値以上になったときに、この気体をフィルム体１２４外へ放出する。なお、内圧開放部１２３を、正極端子１２１や負極端子１２２の周囲以外の部分に、設けてもよい。
【００５３】
バッテリ監視要素４は、セルユニット２Ａの複数の側面のうち、内圧開放部１２３が位置する第１側面２ａでない第２側面２ｂに位置する。これにより、バッテリ監視要素４は、内圧開放部１２３に対向しない。したがって、内圧開放部１２３は、バッテリ監視要素４によって覆われないので、内圧開放部１２３からの排気が容易になる。また、バッテリ監視要素４は、内圧開放部１２３からの排気の熱を受けないので、バッテリ監視要素４は、熱くならない。
【００５４】
バッテリ監視要素４を、セルユニット２Ａの第１方向を中心とした周方向に配置しているため、バッテリセル２０Ａが、第１方向に膨らんで変形したとしても、バッテリ監視要素４は、変形したバッテリセル２０Ａの影響を受けない。したがって、バッテリ監視要素４の変形を防止できる。
【００５５】
（第３の実施形態）
図７は、本発明の第３実施形態のバッテリモジュールを示す斜視図である。上記第３実施形態は、上記第１実施形態とは、セルユニットのバッテリセルの構成のみが相違する。この相違する構成のみを以下に説明する。
【００５６】
図７に示すように、セルユニット２Ｂのバッテリセル２０Ｂは、円筒型の容器２２４と、この容器２２４内に収容されている発電要素とを有する。発電要素は、正極板と、負極板と、正極板と負極板との間に介在されたセパレータとを有する。
【００５７】
複数のバッテリセル２０Ｂは、各バッテリセル２０Ｂの容器２２４の周面が第１方向に重なるように、配列される。セルユニット２Ｂは、第１方向を中心とした周方向に順に、第１側面２ａ、第２側面２ｂ、第３側面２ｃおよび第４側面２ｄを有する。
【００５８】
上記第１側面２ａは、円筒型の容器２２４の軸方向の一端面に相当し、上記第３側面２ｃは、円筒型の容器２２４の軸方向の他端面に相当し、上記第２側面２ｂおよび上記第４側面２ｄは、円筒型の容器２２４の周面に相当する。第１側面２ａには、各バッテリセル２０Ｂの安全弁２２３および正極端子２２１が、位置する。第３側面２ｃには、負極端子２２２が、位置する。安全弁２２３は、容器２２４内で発生する気体の圧力が所定値以上になったときに、この気体を容器２２４外へ放出する。
【００５９】
バッテリ監視要素４は、セルユニット２Ｂの複数の側面のうち、安全弁２２３が位置する第１側面２ａでない第２側面２ｂに位置する。これにより、バッテリ監視要素４は、安全弁２２３に対向しない。したがって、安全弁２２３は、バッテリ監視要素４によって覆われないので、安全弁２２３からの排気が容易になる。また、バッテリ監視要素４は、安全弁２２３からの排気の熱を受けないので、バッテリ監視要素４は、熱くならない。
【００６０】
なお、この発明は上述の実施形態に限定されない。例えば、バッテリセルの数量の増減は、自由である。正極外部端子と負極外部端子との位置を逆にしてもよい。第１エンドプレートと第２エンドプレートの少なくとも一方を省略してもよい。
【００６１】
上記実施形態では、バッテリ監視要素を、セルユニットの第２側面の一部に当接させていたが、第２側面の全てに当接させるようにしてもよく、第２側面の少なくとも一部に当接させるようにしてもよい。
【００６２】
上記実施形態では、バッテリセルの端子を、第１側面に配置していたが、第３側面や第４側面に配置するようにしてもよい。
【００６３】
上記実施形態では、バッテリ監視要素を、セルユニットのスペーサの一部に当接させていたが、セルユニットのバスバーに当接させるようにしてもよい。つまり、セルユニットは、バッテリセルに直接に接触する部材を有し、この部材にバッテリ監視要素を当接させるようにしてもよい。
【００６４】
上記実施形態では、バッテリ監視要素を、セルユニットのスペーサの一部に当接させていたが、セルユニットがスペーサを有さない場合、バッテリ監視要素を、セルユニットのバッテリセルに当接させるようにしてもよい。
【００６５】
上記実施形態では、バッテリ監視要素を、一つの側面に配置したが、例えば、バッテリ監視要素の制御基板を第２側面に配置し、バッテリ監視要素のコネクタを第３側面に配置してもよい。すなわち、バッテリ監視要素を、第１側面以外の複数の側面に跨って配置するようにしてもよい。
【００６６】
上記実施形態では、バッテリセルの内圧開放部を設ける面を、バッテリセルの端子を設ける面と同じ面としたが、バッテリセルの端子を設ける面と異なる面としてもよい。
【００６７】
上記実施形態では、セルユニットの内圧開放部面を、１つとしたが、複数設けてもよい。
【符号の説明】
【００６８】
１  ケース
２，２Ａ，２Ｂ  セルユニット
２ａ  第１側面（内圧開放部面）
２ｂ  第２側面（非内圧開放部面）
２ｃ  第３側面（非内圧開放部面）
２ｄ  第４側面（非内圧開放部面）
４  バッテリ監視要素
５  正極外部端子
６  負極外部端子
７  拘束バンド
８  排気管
１０  ケース本体
１１  蓋体
２０，２０Ａ，２０Ｂ  バッテリセル
２１  正極端子
２２  負極端子
２３  安全弁（内圧開放部）
２４  容器
２６  スペーサ
２６ａ  凸部
２６ｂ  凹部
２６ｃ  孔部
３１  第１エンドプレート
３２  第２エンドプレート
４１  基台
４１ａ  凸部
４１ｂ  凹部
４２  制御基板
４３  遮断器
４４  コネクタ
１２１  正極端子
１２２  負極端子
１２３  内圧開放部
１２４  フィルム体
２２１  正極端子
２２２  負極端子
２２３  安全弁（内圧開放部）
２２４  容器
【図１】
2014220233.tif 000003
【図２】
2014220233.tif 000004
【図３】
2014220233.tif 000005
【図４】
2014220233.tif 000006
【図５】
2014220233.tif 000007
【図６】
2014220233.tif 000008
【図７】
2014220233.tif 000009